(57)【要約】【課題】既設および新設の何れであっても窓枠に係止された押縁を容易且つ確実に取り外せる断熱嵌殺し窓を提供する。【解決手段】室外枠１１などと室内枠１８などとの間に断熱材Ｄを配置した上枠１０、左右一対の縦枠３０，３１、および下枠２からなる窓枠Ｆと、上枠１０と縦枠３０，３１の室内枠１８，３８とに個別に係止され且つ窓枠Ｆ内に挿入されるガラス板Ｇの室内側にシール材８を介して配置される上押縁５０および左右一対の縦押縁５１と、を備え、上押縁５０と縦押縁５１とは横通しに突き合わされ、上押縁５０は、上枠１０の開口部側に位置し且つ該上枠１０の室内枠１８における内外一対の係止溝２２，２６と個別に係止する上向きに突出した内外一対の係止凸条６２，６４を有すると共に、一対の係止凸条６２，６４と上枠１０の各係止溝２２，２６との係止状態を解いた際に上向きに移動可能とされている、断熱嵌殺し窓１。【選択図】  図３
2004285597.tif 000002
【特許請求の範囲】
【請求項１】
室外枠と室内枠との間に断熱材を配置した上枠、左右一対の縦枠、および下枠からなる窓枠と、
上記上枠および左右一対の縦枠におけるそれぞれの室内枠に個別に係止され且つ上記窓枠の内側に挿入されるガラス板の室内側にシール材を介して配置される上押縁ならびに左右一対の縦押縁と、を備え、
上押縁と一対の縦押縁とは、横通しまたはほぼ斜め４５度で突き合わされ、
上押縁は、上枠の開口部側に位置し且つ当該上枠の室内枠における内外一対の係止溝と個別に係止する上向きに突出した内外一対の係止凸条を有すると共に、当該上押縁は、その一対の係止凸条と上枠の各係止溝との係止状態を解いた際に上向きに移動可能とされている、ことを特徴とする断熱嵌殺し窓。
【請求項２】
前記上押縁における一対の係止凸条のうち、室外側の係止凸条が室内側の係止凸条よりも上向きに高く突出している、
ことを特徴とする請求項１に記載の断熱嵌殺し窓。
【請求項３】
前記上枠における一対の係止溝のうち、室外側の係止溝の上方には、当該係止溝と係合する前記上押縁の室外側の係止凸条に接近する下向きの凸片が位置している、
ことを特徴とする請求項１または２に記載の断熱嵌殺し窓。
【請求項４】
前記上枠における室外側の前記係止溝の凸片の室外側に隣接した位置には、前記上押縁の室外側の係止凸条と上記係止溝との係止を解いた際に、当該係止凸条を含む上押縁を上向きに移動可能とする下向きの凹部が位置している、ことを特徴とする請求項３に記載の断熱嵌殺し窓。
【請求項５】
前記上押縁は、前記一対の縦押縁と同じ断面形状および構造を有するアルミニウム合金の押出形材からなる、
ことを特徴とする請求項１乃至４の何れか一項に記載の断熱嵌殺し窓。
【発明の詳細な説明】
【０００１】
【発明の属する技術分野】
本発明は、断熱構造を有し且つ窓枠の内側にガラス板を押縁を介して嵌め殺す断熱嵌殺し窓に関する。
【０００２】
【従来の技術】
室内側から観た従来の断熱嵌殺し窓７０は、図５（Ａ）のように、下枠７２、左右の縦枠７３，７４、および上枠８４からなる窓枠Ｆと、係る窓枠Ｆの内側に挿入されるペアガラスＧと、このペアガラスＧを室内側から支持し且つ上枠８４または縦枠７３，７４に係止される上押縁７５および一対の縦押縁７６と、を備えている。図５（Ａ）に示すように、上押縁７５と縦押縁７６とは、横通しの突き合わせのため、組立時には、縦枠７３，７４に縦押縁７６を係止した後、上枠８４に上押縁７５を係止し、取り外す際には、係る順序と逆に係止を解除して行う。
【０００３】
図５（Ｂ）に示すように、上枠８４は、アルミニウム合金の押出形材（以下、単に形材と称する）からなる断面ほぼＬ字形状の室外枠８５と、同じく形材からなる断面ほぼ逆Ｌ字形状の室内枠９０と、これらの間に配置された断熱材Ｄとを備えている。尚、下枠７２および縦枠７３，７４も同様な室外枠、室内枠、およびこれらの間に配置された断熱材からなる断熱構造を備えている。
室外枠８５は、図５（Ｂ）に示すように、ペアガラスＧ寄りの位置で立設する支持片８７を先端に有するＬ形片８６と、室内側に開口する底広溝８９を有するチャンネル片８８と、を一体に有する。また、室内枠９０は、室外側に開口する底広溝９４を有するチャンネル片９５と、ペアガラスＧ寄りに位置する上下一対のＬ形片９２，９３と、を一体に有する。図５（Ｂ）で例示するように、室外枠８５と室内枠９０における対向する底広溝８９，９５間にまたがって、硬質合成樹脂からなる断熱材Ｄが、図示の長手方向に沿って挟持されつつ配置されている。
【０００４】
更に、上押縁７５と縦押縁７６も形材からなり、図５（Ｂ）の前者で例示するように、垂直片７８、その下端の押え片７９、垂直片７８の上端に位置する上下一対のＬ形片８０，８２、及びこれらの内側に位置する凹溝８１，８３からなる。
図５（Ｂ）に示すように、上押縁７５の凹溝８１，８３内に室内枠９０のＬ形片９２，９３を個別に挿入するよう嵌合することで、当該上押縁７５は上枠８４に係止される。該上押縁７５と室外枠８５のＬ形片８６との間には、窓枠Ｆの内側に開口する幅広溝９６が形成される。尚、左右の縦枠７３，７４にも、同様に縦押縁７６が係止され、同じ見込み（内外方向）寸法の幅広溝が形成される。一方、前記下枠７２には、その形材に予め同じ見込み寸法の幅広溝が形成されている。図５（Ｂ）で例示するように、上枠８４の幅広溝９６には、四辺にスペーサｓを挟持した一対のガラス板ｇ１，ｇ２からなるペアガラスＧが挿入され、対向する上押縁７５や室外枠８５の支持片８７との間に、シール材９７およびバックアップ材９８をそれぞれ充填することで、断熱嵌殺し窓７０が組み立てられる。
【０００５】
一般に、嵌殺し窓では、新設する現場に搬入した際や割れたガラス板を取り替える場合に、上枠や左右の縦枠に係止した上押縁と縦押縁とが取り外される。
ところが、前記断熱嵌殺し窓７０では、図５（Ａ），（Ｂ）で示したように、既設の場合には、シール材９７およびバックアップ材９８を除去しても、上押縁７５は、その両端が縦押縁７６の上端に突き当たっていることにより、上枠８４から取り外すには、煩雑な作業および時間を要するという問題があった。
また、新設する場合は、複数個の仮止めピースを介して上押縁７５および縦押縁７６を上枠８４や縦枠７３，７４に係止し且つペアガラスＧのない窓枠Ｆの状態で現場に搬入される。しかし、図５（Ａ）で示したように、上枠８４に係止した上押縁７５と縦枠７３，７４に係止した縦押縁７６とが突き当たっているため、上記と同様にして上押縁７５を容易に取り外せない、という問題があった。
【０００６】
【発明が解決すべき課題】
本発明は、以上に説明した従来の技術における問題点を解決し、既設および新設の何れであっても窓枠に係止された押縁を容易且つ確実に取り外せる断熱嵌殺し窓を提供する、ことを課題とする。
【０００７】
【課題を解決するための手段および発明の効果】
本発明は、上記課題を解決するため、窓枠の上枠に係止する上押縁をその係止を解くと同時に持ち上げ可能とする、ことに着想して成されたものである。
即ち、本発明の断熱嵌殺し窓（請求項１）は、室外枠と室内枠との間に断熱材を配置した上枠、左右一対の縦枠、および下枠からなる窓枠と、前記上枠および左右一対の縦枠におけるそれぞれの室内枠に個別に係止され且つ上記窓枠の内側に挿入されるガラス板の室内側にシール材を介して配置される上押縁ならびに左右一対の縦押縁と、を備え、上押縁と一対の縦押縁とは、横通しまたはほぼ斜め４５度で突き合わされ、上押縁は、上枠の開口部側に位置し且つ当該上枠の室内枠における内外一対の係止溝と個別に係止する上向きに突出した内外一対の係止凸条を有すると共に、当該上押縁は、その一対の係止凸条と上枠の各係止溝との係止状態を解いた際に上向きに移動可能とされている、ことを特徴とする。
【０００８】
これによれば、上押縁は、上枠との係止を解くと、当該上枠寄りに持ち上げることができる。この結果、係る上押縁の両端と左右一対の縦押縁の上端との間に隙間が形成されるため、縦押縁と縦枠との係止を解き且つ係る縦押縁を室内側に容易に取り外すことができる。従って、新設時の現場における組立作業やガラス板の建て込み作業を容易且つ迅速化できると共に、既設の断熱嵌殺し窓においても、破損したガラス板の取り替え作業を容易に行うことができる。
尚、上押縁を上向きに移動可能とするには、上押縁から立設する係止凸条と係止する上枠の係止溝内に、当該係止凸条の上方に位置する空間を設けたり、上枠の係止溝に隣接して後述する下向きの凹部を設けることなどが挙げられる。また、前記「横通し」とは、左右一対の縦押縁の上端に上押縁の両端が載置され、両者が直角に突き合わされる形態を言う。更に、前記ガラス板には、平行な一対のガラス板の周囲にスペーサを配置して間隔を明けたペアガラスなどが含まれる。
【０００９】
また、本発明には、前記上押縁における一対の係止凸条のうち、室外側の係止凸条が室内側の係止凸条よりも上向きに高く突出している、断熱嵌殺し窓（請求項２）も含まれる。これによれば、上押縁を上枠に係止する際は、高い室外側の係止凸条を係止ししつつ、低い内側の係止凸条を係止し、上押縁の係止を解くには、当該上押縁を僅かに室外側に押すことで、各係止凸条の係止を解除できる。しかも、上押縁が室外側へ引っ張る圧力（負圧）を受けても室外側の係止凸条が高いため、これを中心とする回転モーメントが大きくなるため、強く抵抗できる。
【００１０】
更に、本発明には、前記上枠における一対の係止溝のうち、室外側の係止溝の上方には、当該係止溝と係合する前記上押縁の室外側の係止凸条に接近する下向きの凸片が位置している、断熱嵌殺し窓（請求項３）も含まれる。
これによれば、上押縁の室外側の係止凸条は、係止状態のまま上向きの移動が規制されるため、前記上押縁を室外側へ引っ張る圧力に一層強く抵抗可能となる。尚、上記凸片を設ける形態では、上押縁の係止を解くには、係る上押縁を一旦室外側に押した後、上向きに持ち上げることになる。
【００１１】
また、本発明には、前記上枠における室外側の前記係止溝の凸片の室外側に隣接した位置には、前記上押縁の室外側の係止凸条と上記係止溝との係止を解いた際に、当該係止凸条を含む上押縁を上向きに移動可能とする下向きの凹部が位置している、断熱嵌殺し窓（請求項４）も含まれる。これによれば、上押縁の係止を解くと同時に当該上押縁を持ち上げたり、上押縁を室外側に一旦押して係止を解い後、持ち上げるなどの前述した取り外し作業を確実に保障することができる。加えて、本発明には、前記上押縁は、前記一対の縦押縁と同じ断面形状および構造を有するアルミニウム合金の押出形材からなる、断熱嵌め殺し窓（請求項５）も含まれる。これによれば、形材の種類を低減でき且つ窓枠への組み付け作業が容易になると共に、室内側からのデザインも統一的となり良好なものとなる。
【００１２】
【発明の実施の形態】
以下において、本発明の実施に好適な形態を図面と共に説明する。
図１（Ａ）は、本発明の一形態である断熱嵌殺し窓１を室内側から観た際の概略図である。断熱嵌殺窓１は、図１（Ａ）に示すように、下枠２、一対の縦枠３０，３１、および上枠１０からなる窓枠Ｆと、係る窓枠Ｆの内側に挿入されるペアガラス（ガラス板）Ｇと、係るペアガラスＧを室内側から支持し且つ上枠１０または縦枠３０，３１に係止される上押縁５０および一対の縦押縁５１と、を備える。図１（Ａ）に示すように、下枠２と上枠１０は、縦枠３０，３１の上端または下端に当接する横通しで突き合わせ、突き合わせ面付近での公知のビスとビスホールとにより結合される。また、上押縁５０と縦押縁５１とは、横通しの突き合わせのため、組立時には、縦枠３０，３１に縦押縁５１を係止した後、上枠１０に上押縁５０を係止し、取り外す際には、係る順序と逆に係止を解除して行う。
【００１３】
下枠２は、図１（Ｂ）に示すように、形材からなり且つ所要の断面形状を有する室外枠３および室内枠４と、これらの下部間に配置された硬質合成樹脂からなる断熱材Ｄとからなる。室外枠３と室内枠４との間の上部には、上向きの受入れ溝５が形成され、その底面に配置したセッティングブロック６の上にペアガラスＧが載置される。係るペアガラスＧの室外・室内側と室外枠３および室内枠４との間には、シール材８およびバックアップ材９が充填され、ペアガラスＧを密封しつつ下枠２に支持している。尚、ペアガラスＧは、四辺にスペーサｓを挟持した一対のガラス板ｇ１，ｇ２からなり、上記断熱材Ｄと共に断熱構造を形成する。
【００１４】
上枠１０も、図２（Ａ）に示すように、形材からなり所要の断面形状を有する室外枠１１および室内枠１８と、これらの間に配置された硬質合成樹脂の断熱材Ｄとからなる。室外枠１１は、断面ほぼＬ字形の本体１２、その室外側から垂下し且つ先端に支持片１４を有するＬ形片１３、および、本体１２の室内側端の連結片１６ａを介して室内側に開口する底広溝１７を有するチャンネル片１６を、図２（Ａ）の前後（長手）方向の全長に沿って一体に有する。また、室内枠１８は、断面ほぼ逆Ｌ字形の本体１９、その室外側に位置する内外一対のＬ形片２０，２５、および室外側のＬ形片２５の上方に位置し且つ室外側に開口する底広溝２３を有するチャンネル片２４を、図２（Ａ）の前後方向の全長に沿って一体に有する。
【００１５】
図２（Ａ）に示すように、室内枠１８における室内側のＬ形片２０は、下向きに開口する断面ほぼ角形の係止溝２２と、その室内側の開口部に沿って室外側に突出する断面三角形の鈎片２１とを備えている。また、室外側のＬ形片２５は、室外側に開口する断面ほぼ角形の係止溝２６と、その開口部の上側から垂下する凸片２７とを備えている。図２（Ａ）に示すように、室外枠１１および室内枠１８の各底広溝１７，２３間に、断面の両側部分を挟持された断熱材Ｄを配置して上枠１０が形成される。そして、断熱材Ｄの底面と、室外枠１１のチャンネル片１６の下側に位置する連結片１６ａと、室内枠１８の凸片２７との間には、これらに囲まれた下向きの浅い凹部２８が位置している。
【００１６】
図２（Ａ）および（Ｂ）に示すように、上押縁５０も形材からなり、断面角形の本体５２と、係る本体５２の上面の室内・室外側から上向き突出した内外一対の係止凸条６０，６４とを、図示の前後（長手）方向に沿って一体に備えている。
上記本体５２は、図２（Ｂ）に示すように、断面角形の中空部５３を内設し、且つその室外側に上下一対の突起５４，５６と、これらの間に位置する支持溝５５とを有する。また、室外側の係止凸条６０は、室内側の係止凸条６４よりも高く突出し、当該係止凸条６０の上端には室内側に直角に延びる断面板状の鈎片６２が位置している。更に、室内側の係止凸条６４は、その上端の厚肉部６５と、その室内側面で且つ室内側に開口する断面三角形の鈎溝６６とを有している。
【００１７】
図２（Ａ）に示すように、上枠１０の室内枠１８における係止溝２２，２６に、上押縁５０の係止凸条６０，６４を係止する。具体的には、上押縁５０の係止凸条６０上端の鈎片６２を、室内枠１８の係止溝２６に凸片２７にて狭められた開口部から挿入すると共に、上押縁５０の係止凸条６４上端の厚肉部６５を、室内枠１８の係止溝２２に挿入し、且つその開口部に位置する鈎片２１を厚肉部６５の鈎溝６６に挿入する。尚、係る上押縁５０の上枠１０への係止作業は、前記下枠２、縦枠３０，３１、上枠１０からなる窓枠Ｆを組み立て、ペアガラスＧの下辺を下枠２における受入れ溝５への挿入し、更に後述する縦枠３０，３１への縦押縁５１，５１の係止が成された後で行われる。
【００１８】
図２（Ａ）に示すように、上枠１０の室外枠１１におけるＬ形片１３の先端に位置する支持片１４と、上押縁５０との間には、下向きの受入れ溝２９が形成される。係る受入れ溝２９にペアガラスＧの上辺を挿入した状態で、支持片１４の支持溝１５および上押縁５０の支持溝５５とペアガラスＧとの間にバックアップ材９，９を個別に挟持し、且つその底面に沿って支持片１４および上押縁５０とペアガラスＧとの間にシール材８，８を個別に充填する。この結果、ペアガラスＧは、その上辺を上枠１０、上押縁５０、およびシール材８などにより、を密封されつつ、上枠１０を含む窓枠Ｆに支持される。
【００１９】
縦枠３０，３１も、図２（Ｃ）の縦枠３１で例示するように、形材からなり且つ所要の断面形状を有する室外枠３２および室内枠３８と、これらの間に配置された硬質樹脂からなる断熱材Ｄとからなる。室外枠３２は、断面ほぼ倒立したＬ字形の本体３３と、その室外側から開口部側に突出し且つ先端に支持片３６を有するＬ形片３４と、本体３３の室内側端に位置し且つ室内側に開口する底広溝３７ａを有するチャンネル片３７とを、図２（Ｃ）の前後方向（長手方向）の全長に沿って一体に有する。また、室内枠３８は、断面ほぼ横Ｌ字形の本体３９、その室外側に位置し且つ開口部側に突出する内外一対のＬ形片４０，４４、および、これらの外側に位置し且つ室外側に開口する底広溝４７を有するチャンネル片４６を、図２（Ｃ）の前後方向の全長に沿って一体に有する。
【００２０】
図２（Ｃ）に示すように、室内側のＬ形片４０は、室外側のＬ形片４４との間に形成される係止溝４２と、その開口部に位置する断面三角形の鈎片４１とを有する。室外側のＬ形片４４は、室外向きの係止溝４３と、その開口部に位置する凸片４５とを有する。縦枠３１の室内枠３８の係止溝４２，４３には、前記上押縁５０と同じ断面形状の形材からなる縦押縁５１の係止凸条６４，６０が個別に係止される。具体的には、図２（Ｃ）に示すように、縦押縁５１の係止凸条６０の先端の鈎片６２を、室内枠３８の係止溝４３に凸片４５で狭められた開口部から挿入すると共に、縦押縁５１の係止凸条６４先端の厚肉部６５を、室内枠３８の係止溝４２に挿入し、且つその開口部に位置する鈎片４１を厚肉部６５の鈎溝６６に挿入する。同様にして、他方の縦枠３０にも、縦押縁５１が係止される。
【００２１】
尚、係る縦押縁５１の縦枠３０，３１への係止作業は、前記下枠２、縦枠３０，３１、上枠１０からなる窓枠Ｆを組立て、且つペアガラスＧの下辺を下枠２の受入れ溝５に挿入した後で行われる。
図２（Ｃ）に示すように、縦枠３１の室外枠３２におけるＬ形片３４の先端に位置する支持片３６と、縦押縁５１との間には、開口部側に向いたの受入れ溝４８が形成される。係る受入れ溝４８にペアガラスＧの側辺を挿入した状態で、支持片３６の支持溝３５および縦押縁５１の支持溝５５とペアガラスＧとの間にバックアップ材９，９を個別に挟持し、且つその外側面に沿って支持片３６および縦押縁５１とペアガラスＧとの間にシール材８，８を個別に充填する。
【００２２】
また、他方の縦枠３０でも同様な作業を行う。その結果、ペアガラスＧは、その両側辺を縦枠３０，３１、縦押縁５１、およびシール材８などにより、を密封されつつ、縦枠３０，３１を含む窓枠Ｆに支持される。
前記窓枠Ｆに、以上に説明したような図１（Ｂ）および図２（Ａ），（Ｃ）に示したペアガラスＧの挿入と、一対の縦押縁５１および上押縁５０の係止とを行うことにより、前記図１（Ａ）に示した断熱嵌殺し窓１を組み立てることができる。
【００２３】
図３（Ａ）は、既設の断熱嵌殺し窓１の窓枠Ｆにおける上枠１０付近の垂直断面図である。例えば、事故などにより中央付近が破損したペアガラスＧを取り替えることが必要となった場合、上押縁５０の係止を解いた後、一対の縦押縁５１を取り外す作業が、以下のようにして行われる。
先ず、図３（Ａ）で例示するように、ペアガラスＧと上押縁５０ならびに縦押縁５１との間に位置するシール材８とバックアップ材９とを各々除去する。次に、図３（Ａ）中の矢印で示すように、上押縁５０を室外側に押し出して、上枠１０との係止を解除（鈎片２１，６２と鈎溝６６または係止溝２６との離脱）する。
【００２４】
即ち、図３（Ａ）に示すように、上押縁５０の係止凸条６０，６４を、上枠１０の室内枠１８の係止溝２２，２６から取り出すか、係る係止溝２２，２６の開口部寄りに移す。具体的には、上押縁５０の係止凸条６０上端の鈎片６２を、室内枠１８の係止溝２６から凸片２７で狭められた開口部の室外側に移すと共に、上押縁５０の係止凸条６４上端の厚肉部６５の鈎溝６４を鈎片２１から離脱し、且つ係る厚肉部６５を室内枠１８の係止溝２２内の室外側に移動させる。
その結果、図３（Ａ）に示すように、上押縁５０の係止凸条６０は、上枠１０の凹部２８の下方に位置すると共に、係る上押縁５０とその本体５２の底面と隣接していた縦押縁５１の上端とは、内外方向で数ｍｍ程度ずれる。
【００２５】
次に、図３（Ｂ）中の垂直な矢印で示すように、前記上押縁５０を上向きに持ち上げて移動させる。その結果、上押縁５０の室外側の係止凸条６０は、上枠１０の凹部２８内を上昇して、断熱材Ｄの底面に接近または接触し、且つ室内側の係止凸条６４は、その厚肉部６５と共に上枠の係止溝２２内を上昇して、当該厚肉片６５が上枠１０のＬ形片２０の底面に接近または接触する。
同時に、図３（Ｂ）および図４（Ａ）に示すように、上押縁５０の本体５２の底面と縦押縁５１の上端との間は、垂直方向で数ｍｍの隙間Ｓが形成される。この結果、前記図２（Ｃ）に示した縦枠３１（３０）の室内枠３８の係止溝４２，４３から縦押縁５１の係止凸条６０，６４を取り出し、または室外側へずらすことで、両者の係止を解いて縦押縁５１を容易に取り外すことができる。これらの具体的な作業は、縦押縁５１とペアガラスＧとの隙間に指先を挿入して行われる。
【００２６】
次いで、上押縁５０を上枠１０から取り外した後、破損したペアガラスＧを窓枠Ｆから取り外す。更に、新たなペアガラスＧを窓枠Ｆの開口部に挿入し、係る開口内に上押縁５０および縦押縁３０，３１をセットする。そして、図２（Ｃ）で示したように、縦押縁５１，５１を縦枠３０，３１に係止すると共に、図２（Ａ）で示したように、上押縁５０を上枠１０に係止する。最後に、ペアガラスＧと上押縁５０および一対の縦押縁５１との間にシール材８などを充填する。
これにより、既設の断熱嵌殺し窓１におけるペアガラスＧの取り替え作業を容易且つ迅速に行うことが可能となる。
【００２７】
尚、新設の場合、窓枠Ｆの上枠１０や縦枠３０，３１に仮止めピースを介して上押縁５０と縦押縁５１とを個別に係止した状態で現場に搬入される。係る現場では、図３（Ａ），（Ｂ）に示した順序で上押縁５０の係止を解除し、その両端で縦押縁５１との間に形成される隙間Ｓを活用して係る縦押縁５１や上押縁５０を取り外す。次いで、窓枠Ｆを建物の開口部に固定し、シール材８などを介してペアガラスＧを下枠２の受入れ溝５に挿入した後、前記図２（Ｂ）および図２（Ａ）で示した係止の順序により、縦押縁５１と上押縁５０とを縦枠３０，３１や上枠１０に係止すると共に、シール材８などを充填する。これにより、施工現場において、新たな断熱嵌殺し窓１を、迅速且つ容易に組み立てることが可能となる。
【００２８】
本発明は、以上において説明した実施の形態に限定されるものではない。
例えば、図４（Ｂ）に示すように、両端を斜め４５度で且つ左右対称に切断した上押縁５０ａと、上端を斜め４５度で且つ対称に切断した縦押縁５１ａ，５１ａとを窓枠Ｆの上枠１０や縦枠３０，３１に係止した断熱嵌殺し窓１ａとすることもできる。上押縁５０ａと縦押縁５１ａとは、前記上押縁５０などと同様の断面を有し、図４（Ｂ）に示すように、両者は斜め４５度の突き合わせ面ｋで突き合わ（トメ切り）される。この結果、図示のように、室内側からの意匠が変化する。
また、前記断熱嵌殺し窓１において、上押縁５０に対し、縦押縁５１を異なる断面形状の形材からなるものを用いて良い。この際、縦枠の室内枠には、その係止溝などが前記縦枠３０，３１と異なる断面形状の形材が用いられる。
更に、前記上枠１０の凸片２７を省略した形態では、上押縁５０を直ちに持ち上げて、当該上枠１０との係止を解くと同時に、係る上押縁５０と縦押縁５１との間に前記隙間Ｓを形成することが可能となる。
また、ガラス板には、前記ペアガラスＧのほか、単一の板ガラス、単一の強化ガラス、あるいはアクリル板などからなる単一の樹脂板または２枚の樹脂板を含む複合構造の形態のものを用いることも可能である。
尚、本発明は、その趣旨を逸脱しない範囲で適宜変更することが可能である。
【図面の簡単な説明】
【図１】（Ａ）は本発明の断熱嵌殺し窓の一形態を室内側から観た概略図、（Ｂ）は（Ａ）中のＺ−Ｚ線に沿った矢視における断面図。
【図２】（Ａ）は図１（Ａ）中のＸ−Ｘ線に沿った矢視における断面図、（Ｂ）は上押縁を示す断面図、（Ｃ）は図１（Ａ）中のＹ−Ｙ線に沿った矢視における断面図。
【図３】（Ａ），（Ｂ）は上記嵌殺し窓の上枠から上押縁の係止を解く状態を示す概略図。
【図４】（Ａ）は上押縁の係止を解いた嵌殺し窓の状態を室内側から示す概略図、（Ｂ）は異なる形態の断熱嵌殺し窓を室内側から観た概略図。
【図５】（Ａ）は従来の断熱嵌殺し窓を室内側から観た概略図、（Ｂ）は（Ａ）中のＢ−Ｂ線に沿った矢視における断面図。
【符号の説明】
１，１ａ…………断熱嵌殺し窓
２…………………下枠
３，１１，３２…室外枠
４，１８，３８…室内枠
８…………………シール材
１０………………上枠
２２，２６………係止溝
２７………………凸片
２８………………凹部
３０，３１………縦枠
５０，５０ａ……上押縁
５１，５１ａ……縦押縁
６０，６４………係止凸条
Ｄ…………………断熱材
Ｆ…………………窓枠
Ｇ…………………ペアガラス（ガラス板）
【図１】
2004285597.tif 000003
【図２】
2004285597.tif 000004
【図３】
2004285597.tif 000005
【図４】
2004285597.tif 000006
【図５】
2004285597.tif 000007